(57)【要約】【課題】ＬＥＤ光源の移動制御により雰囲気を変化できるパーテーションを提供する。【解決手段】透明部材および半透明部材の少なくとも一方から構成された光透過性パネル１０と、光透過性パネル１０に光２２を導入するＬＥＤ光源２０と、ＬＥＤ光源２０を移動させるための駆動機構とを備えた、パーテーション１００である。【選択図】図１
2005256333.tif 000002
【特許請求の範囲】
【請求項１】
透明部材および半透明部材の少なくとも一方から構成された光透過性パネルと、
前記光透過性パネルに光を導入するＬＥＤ光源と、
前記ＬＥＤ光源を移動させるための駆動機構と
を備えた、パーテーション。
【請求項２】
前記光透過性パネルは、前記ＬＥＤ光源からの照射光によって不透過となる光拡散部位を有しており、
前記駆動機構による前記ＬＥＤ光源の移動によって、前記光透過性パネルの透過・不透過は制御される、請求項１に記載のパーテーション。
【請求項３】
前記光透過性パネルは、設置面に対して略垂直方向に沿って配置されており、
前記駆動機構は、前記光透過性パネルに対して前記ＬＥＤ光源を略直角に移動させる、請求項１に記載のパーテーション。
【請求項４】
前記光透過性パネルは、その内部に空洞を有しており、
前記空洞の内面は、拡散面となっている、請求項１から３の何れか一つに記載のパーテーション。
【請求項５】
前記光透過性パネルは、一対のメインパネルと、前記一対のメインパネルを連結する上面板および側面板とから構成されており、
前記上面板に対向する下面には、開口部が形成されており、
前記開口部から前記ＬＥＤ光源の光が入射する、請求項４に記載のパーテーション。
【請求項６】
前記光透過性パネルは、板状部材であり、
前記板状部材には、拡散剤が分散されている、請求項１から３の何れか一つに記載のパーテーション。
【請求項７】
前記拡散剤は、局所的に異なる濃度で分散されている、請求項６に記載のパーテーション。
【請求項８】
前記光透過性パネルは、板状部材であり、
前記板状部材の内部には、反射層が形成されている、請求項１から３の何れか一つに記載のパーテーション。
【請求項９】
前記駆動機構は、前記ＬＥＤ光源を収納する筐体に連結されており、
前記ＬＥＤ光源は、前記筐体の表面に形成された凹部内に配置されている、請求項１から３の何れか一つに記載のパーテーション。
【請求項１０】
前記筐体は、前記光透過性パネルの近傍に設けられたレールに嵌合されている、請求項９に記載のパーテーション。
【請求項１１】
前記光透過性パネルには、当該光透過性パネルの主面に対して略直角な方向に前記筐体を移動させるための貫通孔が形成されており、
前記筐体は、前記貫通孔に嵌合されている、請求項９に記載のパーテーション。
【請求項１２】
前記ＬＥＤ光源は、可変色の光源である、請求項１から１１の何れか一つに記載のパーテーション。
【発明の詳細な説明】
【技術分野】
【０００１】
本発明は、パーテーションに関し、特に、ＬＥＤから出射される光によって透過・非透過を制御して間仕切りを行うパーテーションに関する。
【背景技術】
【０００２】
発光ダイオード（以下、「ＬＥＤ」と称する。）は、小型で効率が良く鮮やかな色の発光を示す半導体素子である。従来、ＬＥＤは主に表示素子としての応用展開がなされてきたために、ＬＥＤを照明用光源として用いる場合の研究開発は最近なされたばかりである。また、その用途も、従来の一般的な照明器具を代替するようなものが大半であり、例えば、電球タイプのＬＥＤ照明装置、スタンドタイプのＬＥＤ照明装置、直管または丸管タイプの蛍光灯型、懐中電灯やペンライトタイプのＬＥＤ照明装置は提案されているものの（例えば、特許文献１）、まだ一般的な照明器具の代替にとどまっており、ＬＥＤを積極的に活用した独特の製品の開発というのは活発に行われていないのが実情である。なお、関連する文献として、特許文献２、３を挙げることができる。
【特許文献１】特開２００３−１２４５２８号公報
【特許文献２】特開平１０−２３７９８９号公報
【特許文献３】特開２０００−５４５３３号公報
【発明の開示】
【発明が解決しようとする課題】
【０００３】
本願発明者は、ＬＥＤを用いた新たな照明器具を検討している中、ＬＥＤの小型・軽量などのメリットを生かして、重く大きくて移動が困難であった従来の照明器具の観念を壊すことを思いついた。ＬＥＤは小さくて軽いので積極的に移動させることに特に困難性はなく、そして、その移動により新たな効果を奏する斬新な照明器具を開発できると思い検討を重ねるうちに、光パーテーションの構想に辿り着いた。この光パーテーションとは、ＬＥＤを用いて透明・半透明部材に光を通して、その光の加減によって、向こう側が見えたり、見えなくなったりするパーテーションを構築するものである。
【０００４】
従来のパーテーションは、通常、金属、布、樹脂等の材料から構成された間仕切りであり、これを室内に設置して室内スペースを区画する。また、ガラスや透明樹脂を用いた透明パーテーションも存在するが、これは透明・不透明を制御できるものではない。
【０００５】
特許文献２には、液晶ディスプレイが本体部に一体的に取り付けられているパーテーションが開示されている。この液晶ディスプレイ付きのパーテーションを用いると、パーテーションの表面に静止画や動画を表示することができ、マルチメディア時代に対応した展示・ＰＲを行うことが可能となる。しかし、パーテーション自体の機構は当然複雑となり、またコストも大幅にかさむことに加えて、このパーテーションには、向こう側が見えたり、見えなくなったりする機能はない。
【０００６】
また、特許文献３には、照明器具として蛍光灯を用いて、間接照明を使った演出性の高い室内空間を提供できるパーテーションが開示されている。このパーテーションでは、パーテーション本体の周縁部に間接照明用の照明器具（蛍光灯）を内蔵させて、天井面を利用した間接照明を行ったり、光透過性パネルから間接照明光を発散させたりしている。しかし、このパーテーションにおいては、照明器具として蛍光灯を用いており、この比較的大きくて重い蛍光灯を移動させて、光を制御するというアイデアは開示されていない。むしろ、蛍光灯は固定して、その上部に設けた反射板を可動する機構が示されている。
【０００７】
本発明はかかる諸点に鑑みてなされたものであり、その主な目的は、ＬＥＤを用いた新たな照明装置（光パーテーション）を提供することにある。
【課題を解決するための手段】
【０００８】
本発明のパーテーションは、透明部材および半透明部材の少なくとも一方から構成された光透過性パネルと、前記光透過性パネルに光を導入するＬＥＤ光源と、前記ＬＥＤ光源を移動させるための駆動機構とを備えている。
【０００９】
ある好適な実施形態において、前記光透過性パネルは、前記ＬＥＤ光源からの照射光によって不透過となる光拡散部位を有しており、前記駆動機構による前記ＬＥＤ光源の移動によって、前記光透過性パネルの透過・不透過は制御される。
【００１０】
前記光透過性パネルは、設置面に対して略垂直方向に沿って配置されており、前記駆動機構は、前記光透過性パネルに対して前記ＬＥＤ光源を略直角に移動させることが好ましい。
【００１１】
ある好適な実施形態において、前記光透過性パネルは、その内部に空洞を有しており、前記空洞の内面は、拡散面となっている。
【００１２】
ある好適な実施形態において、前記光透過性パネルは、一対のメインパネルと、前記一対のメインパネルを連結する上面板および側面板とから構成されており、前記上面板に対向する下面には、開口部が形成されており、前記開口部から前記ＬＥＤ光源の光が入射する。
【００１３】
ある好適な実施形態において、前記光透過性パネルは、板状部材であり、前記板状部材には、拡散剤が分散されている。
【００１４】
前記拡散剤は、局所的に異なる濃度で分散されていてもよい。
【００１５】
前記光透過性パネルは、板状部材であり、前記板状部材の内部に、反射層が形成されていてもよい。
【００１６】
ある好適な実施形態において、前記駆動機構は、前記ＬＥＤ光源を収納する筐体に連結されており、前記ＬＥＤ光源は、前記筐体の表面に形成された凹部内に配置されている。
【００１７】
ある好適な実施形態において、前記筐体は、前記光透過性パネルの近傍に設けられたレールに嵌合されている。
【００１８】
前記筐体は、前記光透過性パネルに形成された開口部に嵌合されていてもよい。
【００１９】
ある好適な実施形態において、前記ＬＥＤ光源は、可変色の光源である。
【発明の効果】
【００２０】
本発明によれば、駆動機構によってＬＥＤ光源を移動させて光透過性パネルに光を導入したり、導入しなかったりすることができるので、その移動制御によって、雰囲気を変化させることができるパーテーションを提供することができる。光透過性パネルがＬＥＤ光源からの照射光によって不透過となる光拡散部位を有している場合には、駆動機構によるＬＥＤ光源の移動によって、光透過性パネルの透過・不透過を制御することができるパーテーション（光パーテーション）を実現することができる。
【発明を実施するための最良の形態】
【００２１】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００２２】
（実施形態１）
図１（ａ）および（ｂ）を参照しながら、本発明の実施形態に係るパーテーション（光パーテーション）１００について説明する。図１（ａ）は、本実施形態のパーテーション１００の構成を模式的に示す断面図であり、図１（ｂ）は、パーテーション１００に含まれているＬＥＤ光源２０を移動させた図である。
【００２３】
本実施形態のパーテーション１００は、光透過性パネル１０と、光透過性パネル１０に光２２を導入するＬＥＤ光源２０と、ＬＥＤ光源２０を移動させるための駆動機構（不図示）とから構成されている。光透過性パネル１０は、透明部材および半透明部材の少なくとも一方から構成されており、ＬＥＤ光源２０からの照射光２２によって不透過となる光拡散部位を含んでいる。ここで、光透過性パネル１０の透過・不透過は、駆動機構がＬＥＤ光源２０を移動させることによって制御される。
【００２４】
本実施形態において光透過性パネル１０は、設置面３０ａに対して略垂直方向に沿って配置されて、これが主に間仕切りとしての機能を発揮する。光透過性パネル１０は、例えば、ガラス、透明樹脂（例えば、アクリル樹脂）から構成されている。なお、光透過性パネル１０が透明部材から構成されている場合は、パネル１０は可視域で透明であり、それを通して物体をはっきり見ることができる。  また、光透過性パネル１０が半透明材料から構成されている場合は、可視放射の一部又はほとんどは拡散透過によって透過するため、それを通して物体をはっきりとは見ることはできないが、物体を認識することは可能である。
【００２５】
図１に示した光透過性パネル１０は、一対のメインパネル１０ａと、一対のメインパネル１０ａを連結する上面板１０ｂおよび側面板（不図示）とから構成されており、上面板１０ｂに対向する下面には、開口部１５が形成されており、開口部１５からＬＥＤ光源２０の光２２が入射する。光透過性パネル１０の寸法は、間仕切りとしての用途や仕様に応じて決定され、ハイパーテーション用なら、完全に天井から隔離する場合には地面から天井までの高さ（例えば、２４０〜３００ｃｍ）となり、また、天井側または地面側に隙間を設けて開放感を出す場合、例えば１５０〜２００ｃｍの高さとなる。ローパーテーション用なら、例えば１００〜１５０ｃｍの高さとなる。厚さも用途や仕様に応じて適宜決定される。また、専ら室内スペースを区画ための大型・中型のパーテーションだけでなく、他の用途（例えば、人工窓、展示用ボードなど）に使用しても構わない。
【００２６】
本実施形態では、光透過性パネル１０は支持体３０の上に配置されて、その支持体３０の中をＬＥＤ光源２０は移動する。駆動機構（不図示）は、支持体３０周辺に配置されており、その駆動機構は、光透過性パネル１０に対してＬＥＤ光源２０を略直角に移動させることができる（矢印３５参照）。ＬＥＤ光源２０を移動させることができれば、駆動機構の具体的手段は特に限定されないが、駆動機構としては、電気的なもの、機械的なもの、あるいは手動のものを用いることができ、例えば、レール、滑車、凹凸によるはめ込み等の構造を用いて、電気、機械又は手動で駆動させるものを挙げることができる。
【００２７】
図１に示した例では、光透過性パネル１０は、内部に空洞１１を有しており、空洞１１の内面（すなわち、空洞１１に露出するパネル１０の内壁面）１３は、拡散面となっている。
【００２８】
したがって、図１（ａ）に示した状態で、ＬＥＤ光源２０が光２２を出射すると、その光２２は内面１３にあたって光の散乱（乱反射）が生じ、本実施形態のパーテーション１００は不透過になる。すなわち、光の散乱によって、向こう側が実質的に見えない状態が形成される。
【００２９】
一方、駆動機構によってＬＥＤ光源２０を光透過性パネル１０の外に移動して、図１（ｂ）に示した状態にすると、空洞１１の内面１３の乱反射はなくなり、光透過性パネル１０は透過状態になる。また、図１（ｂ）に示した例では、パーテーション１００の外壁１４にＬＥＤ光源２０の光２２があたる間接照明状態となっている。さらに、パーテーション１００から離れるようにＬＥＤ光源２０を移動させると、間接照明状態も解消する。
【００３０】
なお、図２に示すように、ＬＥＤ光源２０は、不点灯状態でも移動可能であり（矢印３５参照）、この場合は、ＬＥＤ光源２０がどの位置に存在しても、光透過性パネル１０は透過状態、つまり、間仕切りであるパネル１０を光が透過して向こう側が透けて見える状態となっている。
【００３１】
図３は、本実施形態の光パーテーション１００の斜視図を示している。図３に示した例では、ＬＥＤ光源２０は、駆動機構（不図示）に接続されたボード（筐体）３２に収納されており、ボード３２の移動に応じて、ＬＥＤ光源２０からの光２２も移動する。図３は、ボード３２と光透過性パネル１０とを分解して表したものであるがが、ボード３２が矢印３５のように移動可能であるならば、ボード３２と光透過性パネル１０とは密着させてもよいし、両者の間に隙間があってもよい。
【００３２】
図４に示した例では、支持体３０の一部にレール３６を用いて、そのレール３６の溝にボード３２を嵌合し（矢印３９参照）、レール３６に沿って矢印３５の方向にボード３２が移動可能にした構成を示している。このボード３２の表面には、凹部３３が形成されており、その凹部３３内にＬＥＤ光源２０は収納されている。ボード３２には、ＬＥＤ光源２０に電力を供給するための配線３８がつながっており、配線３８は例えば商用電源に電気的に接続される。
【００３３】
ボード３２は、例えば、図５（ａ）および（ｂ）のように構成することができる。ここでは、ＬＥＤ光源２０としてチップ状のＬＥＤ素子（例えば、表面実装型チップ）またはベアチップのＬＥＤ素子が用いられている。特に、図５（ｂ）に示すように、ボード３２の上面３２ａよりもＬＥＤ素子２０の上面が低くなるようにすると、光透過性パネル１０の底面とボード３２の上面３２ａがほぼ密着するような場合でも、ＬＥＤ素子２０が光透過性パネル１０に衝突しないようにできる。
【００３４】
また、光透過性パネル１０を照らす光源としてＬＥＤ光源２０を用いているので、光源を小さくそして軽くすることができる。ＬＥＤ光源２０としてベアチップを用いた場合、図５中の寸法Ｌは０．３ｍｍ〜１ｃｍ程度であり、ベアチップに蛍光体を付与したチップでも、ベアチップの寸法に５０μｍ〜３００μｍがプラスされるだけである。このようにＬＥＤ素子は寸法が小さいので、それにレンズを付けた場合でも、寸法Ｌはせいぜい２．５ｍｍ〜３ｃｍにしかならない。
【００３５】
一方、光透過性パネル１０を照らす光源としてＬＥＤ光源以外のランプを用いたとすれば、ＬＥＤ光源と比べて大きくそして重くなってしまう。一例を挙げると、直管蛍光灯の管径はφ１５．５ｍｍ〜３２．５ｍｍであり、ミニクリプトン電球のガラス直径はφ３５ｍｍ〜４５ｍｍであり、小型の電球でもガラス直径はφ２０ｍｍ〜４０ｍｍである。
【００３６】
本実施形態の光パーテーション１００では、駆動機構によってＬＥＤ光源２０を移動させて光透過性パネル１０に光を導入したり、導入しなかったりすることができるので、その移動制御によって、雰囲気を変化させることができるパーテーションを提供することができる。このように光源を積極的に移動させてパーテーションの透過・不透過を制御するという新たな試みは今まで行われておらず、また、このような積極的な移動は、小さくて軽いＬＥＤ光源をうまく活用したものであり、照明器具の分野において従来と異なる新たな用途を提示するものである。
【００３７】
（実施形態２）
上記実施形態１では、空洞１１の下部に開口部１５を有する光透過性パネル１０を用いたが、他の形態のものを使用することも可能である。例えば、光透過性パネル１０は、一枚の板状部材を用い、その板状部材に拡散剤を分散させて、ＬＥＤ光源２０からの照射光２２によって不透過となる光拡散部位を構成してもよい。また、上記実施形態１では、ＬＥＤ光源２０を下から照らしたが（アップライト）、上から照らすこと（ダウンライト）も可能である。
【００３８】
図６は、一枚の板状部材からなる光透過性パネル１０を用いた光パーテーション１００の構成例を示している。また、この例では、ＬＥＤ光源２０を上部に設けてダウンライトの構成にしている。他の点については、図４に示した構成と基本的に同様であるので、説明を省略する。
【００３９】
図６に示した光透過性パネル１０には、分散材が混入されており、分散材は、例えば、シリカ、アルミナ、酸化マグネシウム、硫酸バリウムなどである。ボード３２が移動して、ＬＥＤ光源２０からの光が光透過性パネル１０に導入されると、光透過性パネル１０を導波した光が分散材にて乱反射して、それによって、光透過性パネル１０は不透過状態、すなわち、実質的に向こう側が見えない状態になる。
【００４０】
また、ＬＥＤ光源２０を搭載したボード３２は、光透過性パネル１０の上方、下方だけでなく、図７に示すように、光透過性パネル１０内を通過させるように配置してもよい。図７に示した例では、ボード３２は、光透過性パネル１０に形成された貫通孔１７に嵌合されて配置されており、矢印３５の方向に移動可能なようにされている。
【００４１】
ボード３２の移動は、例えば、図８のようにして行えばよい。すなわち、駆動機構として、ギア４２付きのモータ４０を用い、そのギア４２に対応する溝４３をボード３２に形成して、それらを嵌合して（矢印４５参照）、モータ４０の駆動によってボード３２を移動させればよい。モータ４０は、光透過性パネル１０内の所定箇所に配置しておけるような寸法のものを用いればよく、モータ４０に供給する電力は、モータ４０から延びた配線４６を通じて行えばよく、配線４６は、例えば光透過性パネル１０に設けた電源端子（不図示）に接続すればよい。
【００４２】
このボード３２は、光透過性パネル１０内の上部・下部領域だけでなく、図９に示すように、左右領域に配置することも可能である。この例では、ボード３２は縦方向にのびるように配置され、光２２は、光透過性パネル１０の短辺方向に（設置面と略平行の方向に）照射される。
【００４３】
さらに、光透過性パネル１０側の電源供給部と、ボード３２側の電源端子との配列との組み合わせによっては、ボード３２を移動させるだけで、ＬＥＤ光源２０を点灯させたり、不点灯にしたりすることができる光パーテーション１００を構築することもできる。
【００４４】
例えば、図１０に示すように、光透過性パネル１０におけるボード３２に接する面に電源配線５０ａ、５０ｂを設けておき、その電源配線５０ａ（＋）、５０ｂ（−）に接するボード３２の面（ＬＥＤ光源２０が搭載される面と反対側の面）に図１１に示すような電源端子５２ａ（＋）、５４ａ（＋）、５４ｂ（−）、５２ｂ（−）を配列させておく。そのような電源端子を設けるには、図１２のようにすればよい。つまり、ＬＥＤ光源２０に接続された配線を分岐させて＋および−をそれぞれ２端子（５２ａ、５４ａと、５２ｂ、５４ｂ）を形成すればよい。なお、図１２に示したＬＥＤ光源２０は、ベアチップ（または蛍光体付きチップ）５１にレンズ５３が形成されたものである。
【００４５】
この例において、ボード３２が矢印３５の方向に移動すると、ある箇所では端子５２ａと５２ｂが、電源配線５０ａと５０ｂとに接触してＬＥＤ光源２０は点灯し、さらに移動すると、不点灯になる。またさらに移動すると、今度は、端子５４ａと５４ｂが、電源配線５０ａと５０ｂとに接触してＬＥＤ光源２０は点灯する。このようにボード３２の移動によって点灯・不点灯を制御することができ、そして、光パーテーション１００の不透過・透過を制御することができる。なお、電源配線５０ａ、５０ｂを透明電極（ＩＴＯからなる電極）から構成すれば、光透過性パネル１０における電源配線５０ａ、５０ｂを目立たなくすることもでき、デザイン性に優れたものにすることも可能ある。
【００４６】
また、図１３に示すように、光透過性パネル１０の中央部に貫通孔１７を設けて、そこに上方および下方に光２２ａ、２２ｂを照射できるボード３２を挿入して配置することもできる。この構成において、上方の光２２ａと下方の光２２ｂとを独立して制御すれば、上方領域のみの透過・不透過、あるいは、下方領域のみの透過・不透過を制御できるようになる。
【００４７】
さらに、図１４に示すように、光透過性パネル１０の内部（中央部）に反射膜６０を形成して、下方領域６１と上方領域６２との光の導波を制御することも可能である。反射膜６０は、金属膜（例えば、Ａｌからなる膜や箔など）である。図１４に示した例では、外枠１９を備えた光透過性パネル１０の最上部周辺にボード３２が配置されており、下方に導波する光２２が反射膜６０で遮られて、下方領域６１には光が導波しないようになっている。これにより、上方領域６２のみの透過・不透過の制御を行うことが可能な光パーテーション１００を構築することができる。同様の仕組みによって、図１４に示した構成の上下を逆にすれば、下方領域のみの透過・不透過の制御をできる光パーテーション１００にすることができる。
【００４８】
また、図１５に示すように、光透過性パネル１０に分散されている拡散剤６５の濃度を局所的に異なるようにすることで、所定領域の透過・不透過を制御できる光パーテーション１００を構築してもよい。図１５に示した例では、下方領域６１において拡散剤６５を分散させ、上方領域６２には拡散剤６５は含まれていない。その結果、上方領域６２は常に透過の状態であり、下方領域６１では、光２２によって透過・不透過を制御できる。同様の仕組みによって、図１５に示した構成の上下を逆にすれば、下方領域は常に透過状態で、上方領域は光２２によって透過・不透過を制御できる光パーテーション１００にすることも可能である。
【００４９】
上述の実施形態では、典型的には、ＬＥＤ光源２０として、白色の光を発するものを使用すればよいが、それに限らず、有色（赤、青、黄、緑など）の光を発するＬＥＤ光源２０を用いてもよい。白色の光を発するＬＥＤ光源２０を用いると、白色の光２２によって白色の光パーテーション１００となり、有色（赤、青、黄、緑など）の光を発するＬＥＤ光源２０を用いれば、有色の光２２によって有色の光パーテーション１００となる。また、光透過性パネル１０を着色することによって、色を付けることも可能である。
【００５０】
さらには、ＬＥＤ光源２０として、可変色のＬＥＤ素子を用いれば、さまざまな色に変化する光パーテーション１００を実現することができる。可変色のＬＥＤ素子としては、赤色ＬＥＤ、緑色ＬＥＤ、青色ＬＥＤを組み合わせて、それぞれを独立して調光することができるような構成のものを用いればよい。また、単色のＬＥＤ（例えば、赤色ＬＥＤ、緑色ＬＥＤ、青色ＬＥＤ）を配列させて、図１２に示したようなボード３２の表面に露出する端子の形状を変化させて（例えば、赤色ＬＥＤの端子の長さは短く、緑色ＬＥＤのものはそれより長く、青色ＬＥＤのものは最も長くするようにして）、ボード３２の移動によって、各ＬＥＤがオン・オフして調色を行うような構成を採用することも可能である。
【００５１】
以上、本発明を好適な実施形態により説明してきたが、こうした記述は限定事項ではなく、勿論、種々の改変が可能である。
【産業上の利用可能性】
【００５２】
本発明によれば、ＬＥＤ光源の移動制御によって、雰囲気を変化させることができるパーテーション（光パーテーション）を提供することができる。
【図面の簡単な説明】
【００５３】
【図１】（ａ）および（ｂ）は、本発明の実施形態の光パーテーション１００の構成を模式的に示す断面図
【図２】本発明の実施形態の光パーテーション１００の構成を模式的に示す断面図
【図３】本発明の実施形態の光パーテーション１００の構成を模式的に示す斜視図
【図４】本発明の実施形態の光パーテーション１００の構成を模式的に示す斜視図
【図５】（ａ）および（ｂ）は、それぞれ、ボード（筐体）３２の上面図および断面図
【図６】本発明の実施形態の光パーテーション１００の構成を模式的に示す斜視図
【図７】本発明の実施形態の光パーテーション１００の構成を模式的に示す斜視図
【図８】ボード３２の駆動方法を説明するための斜視図
【図９】本発明の実施形態の光パーテーション１００の構成を模式的に示す斜視図
【図１０】光透過性パネル１０の構成を模式的に示す斜視図
【図１１】ボード３２の上面図
【図１２】ボード３２の断面図
【図１３】本発明の実施形態の光パーテーション１００の構成を模式的に示す斜視図
【図１４】本発明の実施形態の光パーテーション１００の構成を模式的に示す正面図
【図１５】本発明の実施形態の光パーテーション１００の構成を模式的に示す正面図
【符号の説明】
【００５４】
１０    光透過性パネル
１０ａ    メインパネル
１０ｂ    上面板
１１    空洞
１３    内面
１４    外壁
１５    開口部
１７    貫通孔
１９    外枠
２０    ＬＥＤ光源
２２    光
３０    支持体
３０ａ    設置面
３２    ボード
３２ａ    上面
３３    凹部
３６    レール
３８    配線
４０    モータ
４２    ギア
４３    溝
４６    配線
５０ａ，５０ｂ    電源配線
５２ａ，５２ｂ，５４ａ，５４ｂ    電源端子
５３    レンズ
６０    反射膜
６５    拡散剤
１００    パーテーション（光パーテーション）
【図１】
2005256333.tif 000003
【図２】
2005256333.tif 000004
【図３】
2005256333.tif 000005
【図４】
2005256333.tif 000006
【図５】
2005256333.tif 000007
【図６】
2005256333.tif 000008
【図７】
2005256333.tif 000009
【図８】
2005256333.tif 000010
【図９】
2005256333.tif 000011
【図１０】
2005256333.tif 000012
【図１１】
2005256333.tif 000013
【図１２】
2005256333.tif 000014
【図１３】
2005256333.tif 000015
【図１４】
2005256333.tif 000016
【図１５】
2005256333.tif 000017